【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
ポリエステルおよびプリン誘導体を含有するポリエステル組成物を含有する、食物及び飲料をパッケージするための増強されたガスバリア性を有する容器であって、
前記プリン誘導体が、以下の化学式1の化学構造を有する化合物を含む、
【化１】
2009511369.tif 000001
（式中Ｒ１、Ｒ３、Ｒ５、およびＲ７はそれぞれ独立して、水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
ｔ、ｔ１、ｘ、ｘ１、ｘ２、ｙ、およびｚはそれぞれ独立して、単結合または二重結合であり；ｔ’、ｘ'、ｙ'、およびｚ'はそれぞれ独立して、０または１であり；ｘ”、ｙ”、およびｗ'はそれぞれ独立して、１または２であり；
ｘが二重結合の場合、ｘ１は単結合であり；ｘ１が二重結合の場合、ｘおよびｘ２は単結合であり；ｘ２が二重結合の場合、ｘ１およびｔ１は単結合であり；ｔが二重結合の場合、ｔ１およびｚは単結合であり；ｚが二重結合の場合、ｔは単結合であり；ｔ１が二重結合の場合、tおよびｘ２は単結合であり；ｘが二重結合の場合、ｘ'は０であり；ｘまたはｘ１が二重結合の場合、ｘ”は１であり;ｙが二重結合の場合、ｙ'は０でありｙ”は１であり;ｔまたはｔ１が二重結合の場合、ｔ’は０であり；ｚおよびｔが単結合の場合、ｗ'は２であり;ｚまたはｔが二重結合の場合、ｗ'は１であり;ｚが二重結合の場合、ｚ'は０であり；ｘ、ｙ、またはｚはそれぞれ独立して単結合の場合、ｘ'、ｙ'、およびｚ'はそれぞれ独立して１であり；
Ｒ２、Ｒ４、およびＲ６はそれぞれ独立して、単結合または二重結合によって結合された基であってもよく；
Ｒ２、Ｒ４、またはＲ６が単結合によって結合された基である場合、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ(oximno)、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み；
Ｒ２、Ｒ４、またはＲ６が二重結合によって結合された基である場合、Ｒ２、Ｒ４、またはＲ６はそれぞれ独立して、酸素、硫黄、ＣＲ８Ｒ９、ＳＯ２、またはＮＲ１０を含み；Ｒ８およびＲ９はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み;Ｒ１０は水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
ｘ”が２の場合、両方のＲ２は同一または異なっていてもよく；ｙ”が２の場合、両方のＲ４は同一または異なっていてもよく;そしてｗ'が２の場合、両方のＲ６は同一または異なっていてもよい。）
容器。
【請求項２】
前記化学式1のプリン誘導体が、以下の化学式２の化学構造を有する化合物を含む、
【化２】
2009511369.tif 000002
（式中ｘ、ｘ１、ｙ、およびｚは単結合であり；ｘ２およびｔは二重結合であり;ｗ'、ｘ'、ｙ'、ｚ'、ｘ”、およびｙ”は１であり;ｔ'は０であり; Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項１に記載の容器。
【請求項３】
前記化学式２のプリン誘導体が、式中Ｒ６は水素；Ｒ２およびＲ４は酸素；そしてＲ１、Ｒ３およびＲ５はメチルである、以下の化学構造を有するプリンジオンであるカフェインを含む、
【化３】
2009511369.tif 000003
請求項２に記載の容器。
【請求項４】
ポリエステルおよびプリン誘導体を含有する、食物及び飲料をパッケージするための及び増強されたガスバリア性を有するためのポリエステル組成物であって、
前記プリン誘導体が、以下の化学式1の化学構造を有する化合物を含む、
【化４】
2009511369.tif 000004
（式中Ｒ１、Ｒ３、Ｒ５、およびＲ７はそれぞれ独立して、水素、アリールアミノ、アルコキシ、アリールオキシ、アルケニル、アルキニル、または直鎖、鎖状、分岐、または環状アルキル、アルケニル、アルキニル、アリール、ヘテロアリール、ヘテロサイクリック、もしくはアシル基を含み；
ｔ、ｔ１、ｘ、ｘ１、ｘ２、ｙ、およびｚはそれぞれ独立して、単結合または二重結合であり；ｔ’、ｘ'、ｙ'、およびｚ'はそれぞれ独立して、０または１であり；ｘ”、ｙ”、およびｗ'はそれぞれ独立して、１または２であり；
ｘが二重結合の場合、ｘ１は単結合であり；ｘ１が二重結合の場合、ｘおよびｘ２は単結合であり；ｘ２が二重結合の場合、ｘ１およびｔ１は単結合であり；ｔが二重結合の場合、ｔ１およびｚは単結合であり；ｚが二重結合の場合、ｔは単結合であり；ｔ１が二重結合の場合、tおよびｘ２は単結合であり；ｘが二重結合の場合、ｘ'は０であり；ｘまたはｘ１が二重結合の場合、ｘ”は１であり;ｙが二重結合の場合、ｙ'は０でありｙ”は１であり;ｔまたはｔ１が二重結合の場合、ｔ’は０であり；ｚおよびｔが単結合の場合、ｗ'は２であり;ｚまたはｔが二重結合の場合、ｗ'は１であり;ｚが二重結合の場合、ｚ'は０であり；ｘ、ｙ、またはｚはそれぞれ独立して単結合の場合、ｘ'、ｙ'、およびｚ'はそれぞれ独立して１であり；
Ｒ２、Ｒ４、およびＲ６はそれぞれ独立して、単結合または二重結合によって結合された基であってもよく；
Ｒ２、Ｒ４、またはＲ６が単結合によって結合された基である場合、Ｒ２、Ｒ４、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み；
Ｒ２、Ｒ４、またはＲ６が二重結合によって結合された基である場合、Ｒ２、Ｒ４、およびＲ６はそれぞれ独立して、酸素、硫黄、ＣＲ８Ｒ９、ＳＯ２、もしくはＮＲ１０を含み；Ｒ８およびＲ９はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含み;Ｒ１０は水素、アリールアミノ、アルコキシ、アリールオキシ、アルケニル、アルキニル、または直鎖、鎖状、分岐、または環状のアルキル、アルケニル、アルキニル、アリール、ヘテロアリール、ヘテロサイクリック、もしくはアシル基を含み；
ｘ”が２の場合、両方のＲ２は同一または異なっていてもよく；ｙ”が２の場合、両方のＲ４は同一または異なっていてもよく; そしてｗ'が２の場合、両方のＲ６は同一または異なっていてもよい。）
ポリエステル組成物。
【請求項５】
前記化学式1のプリン誘導体が、以下の化学式２の化学構造を有する化合物を含む、
【化５】
2009511369.tif 000005
（式中ｘ、ｘ１、ｙ、およびｚは単結合であり；ｘ２およびｔは二重結合であり;ｗ'、ｘ'、ｙ'、ｚ'、ｘ”、およびｙ”は１であり;ｔ'は０であり;Ｒ２およびＲ４はそれぞれ独立して、酸素、硫黄、ＣＲ８Ｒ９、ＳＯ２、またはＮＲ１０を含む二重結合によって結合された基であり；そしてＲ１、Ｒ３、Ｒ５、およびＲ６はそれぞれ独立して、水素、ヒドロキシル、アミノ、アミド、アルキルアミノ、アリールアミノ、アルコキシ、アリールオキシ、ニトロ、アシル、アルケニル、アルキニル、シアノ、スルホ、スルファト、メルカプト、イミノ、スルホニル、スルフェニル、スルフィニル、スルファモイル、ホスホニル、ホスフィニル、ホスホリル、ホスフィノ、チオエステル、チオエーテル、アンヒドリド、オキシムノ、ヒドラジノ、カルバミル、ホスホン酸、ホスホナト、または直鎖、鎖状、分岐、または環状のアルキル、アルケニル、アルキニル、アリール、ヘテロアリール、ヘテロサイクリック、もしくはアシル基を含む。）
請求項４に記載のポリエステル組成物。
【請求項６】
前記化学式２のプリン誘導体が、式中Ｒ６は水素；Ｒ２およびＲ４は酸素；そしてＲ１、Ｒ３およびＲ５はメチルである、以下の化学構造を有するプリンジオンであるカフェインを含む、
【化６】
2009511369.tif 000006
請求項５に記載のポリエステル組成物。